(57)【要約】【課題】特にオーディオ情報及び／又はビデオ情報の再生用のデータの変換【解決手段】予め定められた仕様を満たす初期フォーマットのディレクトリ内に構造的にまとめられたファイルのデータを、ディレクトリ内に構造的にまとめられたファイルのデータの中間フォーマットに変換する方法において、初期フォーマットのディレクトリ構造が記録され、少なくとも１つのファイルのデータを有する中間フォーマットのディレクトリ構造が、少なくとも１つの選択によって初期フォーマットのディレクトリ構造に基づいて構成され、中間フォーマットのディレクトリが、前記選択に従って作成され、中間フォーマットのディレクトリに従う中間フォーマットの少なくとも１つのファイルのデータと一致する初期フォーマットのファイルのデータのコンテンツが、コード化され、当該コード化に従って、中間フォーマットの少なくとも１つのファイルのデータが作成される。【選択図】図５
2006216222.tif 000002
【特許請求の範囲】
【請求項１】
予め定められた仕様を満たす初期フォーマットのディレクトリ内に構造的にまとめられたファイルのデータ、好ましくはオーディオ情報、ビデオ情報及び／又はそのナビゲーション情報を含むデータを、ディレクトリ内に構造的にまとめられたファイルのデータ、好ましくはオーディオ情報、ビデオ情報及び／又はそのナビゲーション情報を含むデータの中間フォーマットに変換する方法であって、
前記初期フォーマットのディレクトリ構造が記録され、少なくとも１つのファイルのデータを有する中間フォーマットのディレクトリ構造が、少なくとも１つの選択によって前記初期フォーマットのディレクトリ構造に基づいて構成され、前記中間フォーマットのディレクトリが、前記選択に従って作成され、前記中間フォーマットのディレクトリに従う前記中間フォーマットの少なくとも１つのファイルのデータと一致する前記初期フォーマットのファイルのデータのコンテンツが、コード化され、当該コード化に従って、前記中間フォーマットの少なくとも１つのファイルのデータが作成される、方法。
【請求項２】
前記初期フォーマットのファイルのデータのすべてのコンテンツの前記コード化に関連する前記中間フォーマットの少なくとも１つのファイルのデータが、前記中間フォーマットのディレクトリに従って作成されることを特徴とする請求項１に記載の方法。
【請求項３】
前記中間フォーマットのディレクトリが、前記コード化の結果に従って、前記コード化の後に補正されることを特徴とする請求項１又は２に記載の方法。
【請求項４】
前記中間フォーマットによって、ファイルのデータが、連続データストリームとして作成されることを特徴とする請求項１〜３のいずれか一項に記載の方法。
【請求項５】
前記中間フォーマットによって、前記中間フォーマットのディレクトリに従うファイルのデータについてのナビゲーション情報が、前記中間フォーマットのディレクトリに従う前記ファイルのデータの他のコンテンツ情報とは無関係に、記録されることを特徴とする請求項１〜４のいずれか一項に記載の方法。
【請求項６】
前記中間フォーマットによって、前記ファイルのデータについての前記ナビゲーション情報が、前記中間フォーマットのディレクトリに従い、ファイル内に記録されることを特徴とする請求項５に記載の方法。
【請求項７】
前記中間フォーマットによって、前記中間フォーマットのディレクトリに従う前記ファイルのデータの他のコンテンツ情報が、ファイル内に記録されることを特徴とする請求項５又は６に記載の方法。
【請求項８】
前記中間フォーマットによって、前記中間フォーマットのディレクトリに従う前記ファイルのデータの前記ナビゲーション情報を備える前記ファイルが、前記データストリームの点で、前記中間フォーマットのディレクトリに従う前記ファイルのデータの前記他のコンテンツ情報を備える前記ファイルより優位であることを特徴とする請求項７に記載の方法。
【請求項９】
前記コード化のフレームワークにおいては、前記初期フォーマットの前記少なくとも１つのファイルのナビゲーション情報が、前記中間フォーマットのディレクトリに従う前記中間フォーマットの前記少なくとも１つのファイルのデータに対応する前記初期フォーマットの前記ファイルのデータの前記コード化された他のコンテンツ情報の各大きさに従って、前記中間フォーマット内で変換され、セキュリティ保護されることを特徴とする請求項１〜８のいずれか一項に記載の方法。
【請求項１０】
前記中間フォーマットのファイルのデータの前記連続データストリームが、前記中間フォーマットのディレクトリに従う前記ファイルのデータのナビゲーション情報を備える前記ファイルの分散によって作成され、前記ファイルが、前記中間フォーマットのディレクトリに従う前記ファイルのデータの他のコンテンツ情報を有することを特徴とする請求項４〜８のいずれか一項に記載の方法。
【請求項１１】
前記中間フォーマットによって、前記中間フォーマットのディレクトリに従う前記中間フォーマットの前記少なくとも１つのファイルのデータに対応する前記初期フォーマットのファイルのデータの特性についての情報が、記録されることを特徴とする請求項１〜１０のいずれか一項に記載の方法。
【請求項１２】
前記初期フォーマットのファイルのデータについてのナビゲーション情報及び／又は位置の再構築用の、前記中間フォーマットのディレクトリに従う前記中間フォーマットの前記少なくとも１つのファイルのデータに対応する前記初期フォーマットのファイルのデータの特性についての情報の使用によって特徴づけられる請求項１１に記載の方法。
【請求項１３】
特性についての情報としての、前記初期フォーマットの前記ファイルのデータの大きさによって特徴づけられる請求項１１又は１２に記載の方法。
【請求項１４】
前記少なくとも１つのファイルのデータの各コンテンツに適応されたコード化のためのアルゴリズム、好ましくはオーディオ情報、ビデオ情報及び／又はそのナビゲーション情報のコード化に適応されたアルゴリズムによって特徴づけられる請求項１〜１３のいずれか一項に記載の方法。
【請求項１５】
前記コード化のコンテキストにおいては、前記少なくとも１つのファイルのデータの前記コンテンツの特性性質、好ましくは前記初期フォーマット内及び／又は前記中間フォーマット内の前記少なくとも１つのファイルのデータの前記コンテンツの特性性質が、記録され、格納されることを特徴とする請求項１〜１４のいずれか一項に記載の方法。
【請求項１６】
前記初期フォーマットの前記少なくとも１つのファイルのデータの最も近い可能な再構築用の前記少なくとも１つのファイルのデータの前記コンテンツの格納された特性性質の使用によって特徴づけられる請求項１５に記載の方法。
【請求項１７】
一連のファイルのデータ、オーディオ及び／又はビデオデータフィードバック、画像移動、ビデオ特性、視覚的な複雑さのための最大ビットレート、及び／又は特性性質としてのオーディオ情報の音量の変化によって特徴づけられる請求項１５又は１６に記載の方法。
【請求項１８】
前記初期フォーマットの前記ファイルのデータが、前記初期フォーマットのディレクトリ構造によって参照されるデータ担体の予め定められた位置に配置されることを特徴とする請求項１〜１７のいずれか一項に記載の方法。
【請求項１９】
前記予め定められた位置が、堅固に及び／又は比較的堅固に規定されることを特徴とする請求項１８に記載の方法。
【請求項２０】
前記初期フォーマットが、ＤＶＤ仕様、好ましくはＤＶＤ−ビデオ仕様を条件とすることを特徴とする請求項１〜１９のいずれか一項に記載の方法。
【請求項２１】
前記初期フォーマットが、ＣＤ仕様、好ましくはビデオ−ＣＤ及び／又はスーパービデオ−ＣＤ及び／又はオーディオ−ＣＤ仕様を条件とすることを特徴とする請求項１〜１９のいずれか一項に記載の方法。
【請求項２２】
前記オーディオ情報及び／又はビデオ情報についての書誌的情報、好ましくは前記オーディオ情報及び／又はビデオ情報のユーザ固有のカテゴリー分類及び／又はソートを可能にする書誌的情報が、前記中間フォーマットに結び付けられ得ることを特徴とする請求項１〜２１のいずれか一項に記載の方法。
【請求項２３】
請求項１〜２２のいずれか一項に従って、予め定められた仕様を満たす初期フォーマットのディレクトリ内に構造的にまとめられたファイルのデータ、好ましくはオーディオ情報、ビデオ情報及び／又はそのナビゲーション情報を含むデータを、ディレクトリ内に構造的にまとめられたファイルのデータ、好ましくはオーディオ情報、ビデオ情報及び／又はそのナビゲーション情報を含むデータの中間フォーマットから、再構築変換する方法であって、
前記中間フォーマットの前記少なくとも１つのファイルのデータから、前記中間フォーマットのディレクトリ構造が記録され、
少なくとも１つのファイルのデータを有する前記初期フォーマットのディレクトリ構造が、少なくとも１つの選択によって、前記中間フォーマットのディレクトリ構造に基づいて変換され、作成され、
前記初期フォーマットのディレクトリに従う前記初期フォーマットの前記少なくとも１つのファイルのデータに対応する、前記中間フォーマットの前記ファイルのデータのコンテンツが、コード化され、
前記初期フォーマットの前記少なくとも１つのファイルのデータが、前記コード化に従って作成される、方法。
【請求項２４】
前記初期フォーマットのディレクトリ構造の前記再構築変換のフレームワークにおいては、前記中間フォーマットのディレクトリ構造に加えて、前記中間フォーマットのディレクトリに従う前記中間フォーマットの前記少なくとも１つのファイルのデータに対応する、前記初期フォーマットの前記ファイルのデータの特性についての情報が、請求項１１〜１３のいずれか一項に従って、及び／又は前記少なくとも１つのファイルのデータのコンテンツの特性性質が、請求項１５〜１７のいずれか一項に従って、使用されることを特徴とする請求項２３に記載の方法。
【請求項２５】
コード化のフレームワークにおいては、前記中間フォーマットの前記少なくとも１つのデータベースについてのナビゲーション情報が、前記初期フォーマットの仕様に従って、記録され、変換され、セキュリティ保護されることを特徴とする請求項２３又は２４に記載の方法。
【請求項２６】
コード化のフレームワークにおいては、前記中間フォーマットの前記少なくとも１つのファイルの他のコンテンツ情報が、前記初期フォーマットの仕様に従って、記録され、変換され、セキュリティ保護されることを特徴とする請求項２３〜２５のいずれか一項に記載の方法。
【請求項２７】
請求項１〜２２のいずれか一項に従って、中間フォーマットを用いて、オーディオ情報及び／又はビデオ情報のフィードバック用の少なくとも１つのデバイスによって、オーディオ情報及び／又はビデオ情報のフィードバック用の初期フォーマットを生成する方法であって、
前記中間フォーマットの前記少なくとも１つのファイルのデータから、オーディオ情報及び／又はビデオ情報についてのナビゲーション情報が、記録され、
オーディオ情報及び／又はビデオ情報が、オーディオ情報及び／又はビデオ情報のフィードバック用の前記少なくとも１つのデバイスによって、前記ナビゲーション情報に従ってフィードバックされる方法。
【請求項２８】
オーディオ情報及び／又はビデオ情報のフィードバック用の前記少なくとも１つのデバイスによってオーディオ情報及び／又はビデオ情報のフィードバック用の前記初期フォーマットの生成が、オーディオ情報及び／又はビデオ情報のフィードバック用の前記少なくとも１つのデバイスによって実行され得るファイルの形態で行われることを特徴とする請求項２７に記載の方法。
【請求項２９】
前記ナビゲーション情報を用いた、オーディオ情報及び／又はビデオ情報内のナビゲーション用の前記オーディオ情報及び／又はビデオ情報のフィードバック用の前記少なくとも１つのデバイスの入力デバイスによる、少なくとも１つの選択入力によって特徴づけられる請求項２７又は２８に記載の方法。
【請求項３０】
前記中間フォーマットの前記少なくとも１つのファイルのデータ、及び／又は前記ナビゲーション情報を用いた前記オーディオ情報及び／又はビデオ情報のナビゲーション用の前記選択入力が、好ましくはネットワークを介して、オーディオ情報及び／又はビデオ情報のフィードバック用の前記少なくとも１つのデバイスと前記中間フォーマットの前記少なくとも１つのファイルのデータを含む計算デバイスとの間で伝送されることを特徴とする請求項２７〜２９のいずれか一項に記載の方法。
【請求項３１】
前記伝送が、様々な伝送経路又は伝送通路を介して、一方向になされることを特徴とする請求項３０に記載の方法。
【請求項３２】
前記中間フォーマットが、前記計算デバイスによって、オーディオ情報及び／又はビデオ情報のフィードバック用の前記少なくとも１つのデバイスによってフィードバックされ得るオーディオ情報及び／又はビデオ情報に変換され、当該変換されたオーディオ情報及び／又はビデオ情報が、前記計算デバイスにより、前記ネットワークを介して、オーディオ情報及び／又はビデオ情報のフィードバック用の前記少なくとも１つのデバイスに伝送され、オーディオ情報及び／又はビデオ情報のフィードバック用の前記少なくとも１つのデバイスによってフィードバックされることを特徴とする請求項３０又は３１に記載の方法。
【発明の詳細な説明】
【技術分野】
【０００１】
本発明は、予め定められた仕様を満たす初期フォーマットのディレクトリ内に構造的にまとめられたファイル（データベース）のデータ、好ましくはオーディオ情報、ビデオ情報及び／又はそのナビゲーション情報を含むデータを、ディレクトリ内に構造的にまとめられたファイルのデータ、好ましくはオーディオ情報、ビデオ情報及び／又はそのナビゲーション情報を含むデータの中間フォーマットに変換する方法に関する。本発明は、さらに、予め定められた仕様を満たす初期フォーマットのディレクトリ内に構造的にまとめられたファイルのデータ、好ましくはオーディオ情報、ビデオ情報及び／又はそのナビゲーション情報を含むデータを、ディレクトリ内に構造的にまとめられたファイルのデータ、好ましくはオーディオ情報、ビデオ情報及び／又はそのナビゲーション情報を含むデータの中間フォーマットから、再構築する方法に関する。さらに、本発明は、本発明に係る中間フォーマットを用いて、オーディオ情報及び／又はビデオ情報の再生用の少なくとも１つのデバイスにより、オーディオ情報及び／又はビデオ情報の再生用の初期フォーマットを作成する方法に関する。
【背景技術】
【０００２】
当業界において、ディレクトリ内に構造的にまとめられたファイルのデータ、好ましくはオーディオ情報、ビデオ情報及び／又はそのナビゲーション情報を含むデータを有した数々の初期フォーマットが知られている。初期フォーマットは、ここでは、一般に物理データ担体として様々なディジタル媒体に適応される、予め定められた仕様を満たす。したがって、たとえば、ビデオコンパクトディスク（ＣＤ）又はディジタルビデオディスク（ＤＶＤ）などのディジタル媒体には、これについての、つまり、ビデオ情報及び／又はオーディオ情報用の対応する再生システムにより、ビデオ情報及び／又はオーディオ情報及びその動作を制御する、定義する、及び／又は記述するよう役立つデータについての、ビデオ情報及び／又はオーディオ情報とナビゲーション情報との組合せが含まれる。
【０００３】
これについてのオーディオ、ビデオ、及び／又はナビゲーション情報のこれらのデータは、通常、初期フォーマット及びその物理媒体、たとえばＣＤ又はＤＶＤの仕様を条件としないが、互いに強く依存し、互いに接続される。このため、データの構成要素の１つを修正し、これに対応して、このデータの他の構成要素を修正しないと、一般に、無効フォーマット、つまり、特に、必要な仕様を満たさないフォーマット、又は仕様に従ってデータを機能させない及び／又は処理しないフォーマットとなる。
【０００４】
当業界において知られており、かつ広く流通している、本発明における標準化されたＣＤ、ＤＶＤ、及び同様の初期フォーマットを用いて、これについてのオーディオ情報、ビデオ情報、及び／又はナビゲーション情報のデータが、いくつかのファイル、いわゆる複数ファイル内に格納され、この中に、連続データが、ディレクトリが参照する様々な起点で又は特定の物理媒体の定義された位置で見出される。時間に依存するオーディオ情報及び／又はビデオ情報が、一般に、互いに分散された時間及び距離の配置に基づいて格納され、これは、他の追加データも含む。いわゆるビットレートなどの、低い又は少ない容量特性及び／又は動作を有する、データに従って設けられた又はデータに適した再生デバイスによる、これに対応するオーディオ情報及び／又はビデオ情報の再生を可能にするために、物理媒体内の記憶空間がこの結果不必要に滞ったとしても、データは、慣例の初期フォーマットにより、通常物理媒体の堅固な及び／又は比較的堅固な位置に格納される又はファイルされる。したがって、少ない容量特性及び／又は動作を有する再生デバイスは、より低価格で製造され、処分され得る。
【０００５】
以前より知られており、かつ使用されている初期フォーマットは、その取扱い及び／又は使用方法について様々な欠点を有する。したがって、ＣＤ又はＤＶＤなどのデータ手段としての物理媒体により、予め定められた仕様を満たすフォーマットの、データ、特にオーディオ情報、ビデオ情報及び／又はそのナビゲーション情報を含むデータの、ディレクトリ内に構造的にまとめられたファイルは、一般に、非常に広範囲なものであるので、インターネットのようなネットワーク又はデータ交換のための同様のネットワークを介する伝送は、非常に時間がかかり、また高価なものとなる。さらに、予め定められた仕様を満たす初期フォーマットの、データ、特にオーディオ情報、ビデオ情報及び／又はそのナビゲーション情報を含むデータから、個々のユーザ用にのみ選択されたファイルをアセンブルし、これらをネットワークを介するファイルとして初期フォーマットに合わせて有用に伝送することは、今まで不可能であった。さらに、使用される物理媒体又はデータ担体の慣例の初期フォーマットで、記憶空間が徒に占有される。特にデータ交換のための、ネットワークによる伝送においては、この使用されない記憶空間も同時に伝送されるか、又は同時に伝送されなければならず、好ましいことではない。
【０００６】
予め定められた仕様を満たす初期フォーマットの、好ましくはオーディオ、ビデオ及び／又はナビゲーション情報を含むデータの、ディレクトリ内に構造的にまとめられたファイルのデータの交換を保管する及び／又は改良するために、先行技術においては、必要な記憶容量を考慮して、予め定められた仕様を満たす初期フォーマットのデータの索引内に構造的にまとめられたファイルを全部コード化し、連続継続データのファイル内にこれらをパックすることが慣例である。このようにして、初期フォーマットのファイルのデータの必要な記憶空間を減少し得るが、初期フォーマットのファイルのデータの個々のユーザ志向の選択を構成することができず、このようにしてアセンブルされたファイルを、特に初期フォーマットのファイルのデータに従って、使用することもできない。
【発明の開示】
【発明が解決しようとする課題】
【０００７】
本発明の目的は、このような現行技術を考慮し、予め定められた仕様を満たす初期フォーマットの、データ、特にオーディオ情報、ビデオ情報及び／又はそのナビゲーション情報を含むデータの、ディレクトリ内に構造的にまとめられたファイルを、データ、好ましくはオーディオ情報、ビデオ情報及び／又はそのナビゲーション情報を含むデータの、索引内に構造的にまとめられたファイルの中間フォーマットに変換することであり、したがって、上述した欠点を回避しつつ、予め定められた仕様を満たす初期フォーマットのファイルのデータを向上させ、より広範囲に使用することが可能となる。同時に、予め定められた仕様を満たす初期フォーマットのファイルのデータは、初期フォーマットの取扱い及び／又は適用可能性をできる限り維持しつつ、初期フォーマットによるより少ない記憶容量しか必要とせずに、個々のユーザにとって特に選択可能なものであるべきであり、特にネットワークを経由して、交換可能でなければならない。
【課題を解決するための手段】
【０００８】
技術的な解決方法については、予め定められた仕様を満たす初期フォーマットの、データ、好ましくはオーディオ情報、ビデオ情報及び／又はそのナビゲーション情報を含むデータの、ファイル内に構造的にまとめられたファイルを、データ、好ましくはオーディオ情報、ビデオ情報及び／又はナビゲーション情報を含むデータの、ファイル内に構造的にまとめられたファイルの中間フォーマットに変換する方法が提案されており、この方法によれば、初期フォーマットのディレクトリ構造が記録され、データの少なくとも１つのファイルを有する中間フォーマットのディレクトリ構造が、少なくとも１つの選択により初期フォーマットのディレクトリ構造に基づいてアセンブルされ、中間フォーマットのディレクトリが、この選択に従ってコンパイルされ、中間フォーマットのディレクトリに従って、中間フォーマットの少なくとも１つのファイルのデータに対応する初期フォーマットのファイルのデータのコンテンツがコード化され、中間フォーマットの少なくとも１つのファイルのデータが、コード化に従って作成される。
【０００９】
本発明によれば、初期フォーマットのディレクトリ構造によるディレクトリ構造が、初期フォーマットのファイルのデータの選択に従って中間フォーマットによってコンパイルされる。同時に、初期フォーマットのディレクトリ構造の機能が、これにしたがって、中間フォーマットのディレクトリ構造によって保有されることが好ましく、これにしたがって、少ない記憶空間要件を有し、かつコード化による選択に従って初期フォーマットのファイルのデータのコンテンツに対応する、中間フォーマットのファイルのデータで使用できるようになる。本発明による変換により、初期フォーマットのファイルのデータが、個々のユーザに従って選択され得るが、中間フォーマットによる初期フォーマットのファイルのデータの取扱い及び／又は可能な使用については、少なくとも殆どそのままであり、中間フォーマットによるデータベースのコンテンツのコード化に必要とされる記憶空間が少ないために、この中間フォーマットは、より素早くかつ費用対効果の高い方法で、特にインターネットなどのネットワーク又は同様のデータ交換ネットワークを介して交換され得る。
【００１０】
中間フォーマットの少なくとも１つのファイルのデータは、中間フォーマットのディレクトリによる初期フォーマットのデータのすべてのデータベースのコンテンツのコード化と関連して作成されることが好ましい。この結果、中間フォーマットのディレクトリ内では、選択されたコンテンツの、これに対応する位置及び／又は位置のポインタが利用可能となり、これに対応して、初期フォーマットのファイルのデータの取扱い及び／又は使用可能性が保証されることが確実となり得る。
【００１１】
中間フォーマットのディレクトリは、コード化の後、そのコード化の結果に従って補正されることが好ましい。この過程中、中間フォーマットのディレクトリの補正のコンテキストにおいては、コード化に従って、特にデータベースの特定のデータ情報について、中間フォーマットの少なくとも１つのファイルのデータへのディレクトリ構造の調整があることが好ましい。
【００１２】
本発明の好ましい提案によれば、ファイルのデータが、連続データストリームとして中間フォーマットによって作成される。これにより、使用されない記憶空間が中間フォーマットの側では不要となることが確実となる。
【００１３】
本発明の好ましい実施形態においては、中間フォーマットのディレクトリによる、ファイルのデータについてのナビゲーション情報が、中間フォーマットのディレクトリによるファイルのデータの他のコンテンツ情報とは無関係に、中間フォーマットによって記録される。この過程中、中間フォーマットのディレクトリによるファイルのデータについてのナビゲーション情報は、中間フォーマットにより、１つのデータベース内でコンパイルされ、中間フォーマットのディレクトリによるファイルのデータの他のコンテンツ情報は、別のデータベース内でコンパイルされることが好ましい。
【００１４】
本発明のさらに好ましい提案によれば、中間フォーマットのディレクトリによるファイルのデータについてのナビゲーション情報を有するデータベースは、データストリームの点で、中間フォーマットのディレクトリによるファイルのデータについての他のコンテンツ情報を有するデータベースより優位である。したがって、いわゆるデータのインターリービングが発生し、中間フォーマットが、中間フォーマットの処理用の、たとえばオーディオ情報及び／又はビデオ情報のフィードバック用のデバイスにより入れられた場合には、まず、ビデオ情報及び／又はオーディオ情報用のこれに対応する再生システムの側で、ビデオ情報及び／又はオーディオ情報及びその動作の制御、定義、及び／又は記述に役立つナビゲーション情報が、コンパイルされることが確実となる。
【００１５】
本発明のさらに好ましい実施形態においては、コード化のコンテキストにおいて、中間フォーマットのディレクトリに合わせて、中間フォーマットの少なくとも１つのファイルのデータに対応する初期フォーマットのファイルのデータのコード化された他のコンテンツ情報の特定の大きさに対応する中間フォーマットの初期フォーマットの少なくとも１つのデータベースのナビゲーション情報が、変換され、セキュリティ保護される。この過程中、変換及びセキュリティ保護のコンテキストにおいては、中間フォーマットの補正調整が、コード化の結果に従って発生することが好ましい。
【００１６】
中間フォーマットのファイルのデータの連続データストリームの作成は、多重化、つまり中間フォーマットのディレクトリを有するデータベースに従った、ファイルのデータのナビゲーション情報の分散によって発生することが好ましく、このデータベースは、中間フォーマットのディレクトリによるファイルのデータの他のコンテンツ情報を有する。
【００１７】
本発明のさらに好ましい提案によれば、中間フォーマットのディレクトリによる中間フォーマットの少なくとも１つのファイルのデータに対応する初期フォーマットのファイルのデータの特性についての情報が、報告される。
【００１８】
したがって、本発明における特性についての情報は、特に、データ全体に有効であるか、又はこれらのデータに関する内部効力（inward effects）を開示するものである。本発明のさらに好ましい実施形態が、初期フォーマットのファイルのデータについてのナビゲーション情報及び／又は位置を再構築するための、中間フォーマットのディレクトリによる中間フォーマットの少なくとも１つのファイルのデータに対応する初期フォーマットのファイルのデータの特性についての情報の使用によって特徴づけられる。したがって、必要に応じて、初期フォーマット及び／又は初期フォーマットの仕様を満たす少なくとも１つのフォーマットは、中間フォーマットからコンパイルされ得ることが好ましい。初期フォーマットのファイルのデータの大きさは、特性についての情報として使用されることが好ましい。
【００１９】
本発明の別の特に好ましい実施形態が、少なくとも１つのファイルのデータの各コンテンツに調整されたコード化、好ましくは前記調整されたアルゴリズムについてのオーディオ情報、ビデオ情報、及び／又はナビゲーション情報のコード化用のアルゴリズムによって特徴づけられる。したがって、データタイプ、特にオーディオデータ、ビデオデータ、テキストデータ、画像データ、又は同様のデータの様々なデータベースについては、コード化用の様々なアルゴリズム、特に、たとえば品質及び／又は同様の特性を有する、各好み又は要件による各データタイプに最適なコード化結果を提供するアルゴリズムが使用され得る。ＩＴＵ−Ｔｈ２６４（ＭＰＥＧ４−ＡＶＣビデオ）、ＭＰＥＧ４（ＩＳＯ／ＩＥＣ１４４９６）、Dolby ＡＣ３、ＭＰ３、及び／又はＷＭＶアルゴリズムが使用されることが好ましい。
【００２０】
コード化のコンテキストにおいては、少なくとも１つのファイルのデータのコンテンツの特性性質、好ましくは初期フォーマットの及び／又は中間フォーマットの少なくとも１つのファイルのデータのコンテンツの特性性質が、記録され、格納されることが好ましい。本発明におけるデータベースの特性性質は、本明細書においては、データベースの修正可能なコンテンツ、特に外部に効力を生じさせるコンテンツに基づく。本発明の好ましい実施形態が、初期フォーマットの少なくとも１つのファイルのデータの最も広範囲に可能な再構築のための少なくとも１つのファイルのデータのコンテンツの、格納された特性性質の使用によって特色づけられる。本発明のさらなる実施形態が、データの一連のデータベースの使用、画像移動によるオーディオ及び／又はビデオデータフィードバック用の最大ビットレート、視覚的な複雑さ、つまり分解、フェード、場面検出、動きなどのようなビデオ性質、及び／又は特性性質としてのオーディオ情報の音量の変化によって特色づけられる。
【００２１】
本発明の別の好ましい実施形態によれば、初期フォーマットのデータベースのデータは、初期フォーマットのディレクトリ構造によりラベルが付けられた、予め定められた位置のデータ担体に配置される。本明細書においては、初期フォーマットのデータベースのデータは、連続的に、つまり特に互いに距離を置かずに、互いに直ぐに続いて、初期フォーマットのディレクトリ構造上でラベルが付けられた、予め定められた位置の、データ担体に位置し得る。予め定められた位置は、堅固に及び／又は比較的堅固に設定されることが好ましい。好ましい実施形態においては、初期フォーマットは、ＤＶＤ仕様、好ましくはＤＶＤビデオ仕様を条件とし、特に、日立株式会社（Hitachi, Ltd.）、コーニンクレッカフィリップスエレクトロニクス（Koninklijke Phillips Electronics N.V.）、松下電器産業株式会社（Matsushita Electric Industrial Co. LTD）、三菱電機株式会社（Mitsubishi Electric Corporation）、パイオニア株式会社（Pioneer electronic corporation）、ソニー（Sony corporation）、トムソンマルチメディア（Thomson Multimedia）、タイムワーナー（Time Warner Inc.）、東芝（Toshiba Corp.）、及び日本ビクター株式会社（Victor Corporation of Japan Ltd.）の「読取専用ディスク用のＤＶＤ仕様」に基づく。堅固に及び／又は比較的堅固に設定された、予め定められた位置は、本明細書においては、たとえば、いわゆる「video ts.ifo」内で作成されるか、又は「video ts.ifo」に対応する。本発明の別の実施形態においては、初期フォーマットは、ＣＤ仕様、好ましくはビデオ−ＣＤ及び／又はスーパービデオ−ＣＤ及び／又はオーディオ−ＣＤ仕様を条件とする。
【００２２】
本発明の特に好ましい提案によれば、オーディオ情報及び／又はビデオ情報についての書誌情報、好ましくはオーディオ情報及び／又はビデオ情報のユーザ固有のカテゴリー分類及び／又は分類を可能にする書誌情報が、中間フォーマット内に作られ得る。
【００２３】
さらに、本発明によれば、データ、好ましくはオーディオ情報、ビデオ情報及び／又はそのナビゲーション情報を含むデータの、ディレクトリ内に構造的に組み合わせられたデータベースの本発明に係る中間フォーマットから、予め定められた仕様を満たす初期フォーマットの、データ、好ましくはオーディオ情報、ビデオ情報及び／又はそのナビゲーション情報を含むデータの、ディレクトリ内に構造的に組み合わせられたデータベースを再構築変換する方法が提案され、中間フォーマットのディレクトリ構造が、少なくとも１つの選択により、中間フォーマットのディレクトリ構造に基づいて、中間フォーマットの少なくとも１つのデータベースからコンパイルされ、少なくとも１つのファイルのデータを有する、初期フォーマットのディレクトリ構造が、変換され作成され、中間フォーマットのデータの、初期フォーマットのディレクトリによる初期フォーマットの少なくとも１つのファイルのデータに対応する、データベースのコンテンツがコード化され、初期フォーマットの少なくとも１つのファイルのデータが、コード化に従って作成される。
【００２４】
初期フォーマットのディレクトリ構造の再構築変換のコンテキストにおいては、中間フォーマットのディレクトリ構造に加えて、少なくとも１つのファイルのデータのコンテンツの初期フォーマット及び／又は特性性質のデータの、中間フォーマットのディレクトリによる中間フォーマットの少なくとも１つのファイルのデータに対応する、データベースの特性についての情報が使用されることが好ましい。
【００２５】
コード化のフレームワークにおいては、中間フォーマットの少なくとも１つのデータベースについてのナビゲーション情報が、初期フォーマットの仕様に従って記録され、変換され、セキュリティ保護されることが好ましい。中間フォーマットの少なくとも１つのデータベースについての他のコンテンツ情報は、コード化のフレームワークにおいては、初期フォーマットの仕様に従って記録され、変換され、セキュリティ保護されることが好ましい。他のコンテンツ情報は、本明細書においては、中間フォーマットの特性品質証明及び／又は性質、好ましくはフェード、場面検出、分解、ビットレート、動き、大きさなどのようなビデオ品質証明を有することが好ましい。
【００２６】
さらに、本発明によれば、本発明に係る中間フォーマットを用いて、オーディオ情報及び／又はビデオ情報のフィードバック用の少なくとも１つのデバイスの側でオーディオ情報及び／又はビデオ情報のフィードバック用の初期フォーマットを作成する方法が提供されるが、中間フォーマットの少なくとも１つのファイルのデータから、オーディオ情報及び／又はビデオ情報についてのナビゲーション情報が記録され、ナビゲーション情報によるオーディオ情報及び／又はビデオ情報が、オーディオ情報及び／又はビデオ情報のフィードバック用の少なくとも１つのデバイスによってフィードバックされる。本発明に係る中間フォーマットを使用しながら、好ましくはＰＡＬ／ＮＴＳＣフォーマットによるモニターデバイスを有し、オーディオ情報及び／又はビデオ情報のフィードバック用の初期フォーマットの生成は、通常初期情報のフィードバックに必要な追加デバイス、たとえばこれに対応するソフトウェアを有するＣＤ及び／又はＤＶＤプレーヤー器具又は計算デバイスが不要となることが好ましい。本発明によれば、中間フォーマットから、ＰＡＬ／ＮＴＳＣフォーマットに準拠する初期フォーマットが作成されることが好ましい。
【００２７】
本発明のさらに好ましい実施形態においては、初期フォーマットは、オーディオ情報及び／又はビデオ情報のフィードバック用の少なくとも１つのデバイスによって実行され得るデータベースの形態のオーディオ情報及び／又はビデオ情報のフィードバック用の少なくとも１つのデバイスの側で、オーディオ情報及び／又はビデオ情報のフィードバック用に作成される。その過程中、データベースは、中間フォーマットに従って又は中間フォーマットから、オーディオ情報及び／又はビデオ情報のフィードバック用の少なくとも１つのデバイスの側で、オーディオ情報及び／又はビデオ情報の制御及び変換用のオーディオ情報及び／又はビデオ情報のフィードバック用の少なくとも１つのデバイスに適応された情報を含む。その過程中、実行可能なデータベースは、ファイルのデータ内に、オーディオ情報及び／又はビデオ情報のフィードバックに必要なコンバータ、いわゆるソフトウェアプレーヤーを含み、中間フォーマットを変換するよう構成されることが好ましい。
【００２８】
本発明の好ましい形態が、ナビゲーション情報を用いた、オーディオ情報及び／又はビデオ情報内のナビゲーション用のオーディオ情報及び／又はビデオ情報のフィードバック用の少なくとも１つのデバイスの入力デバイスによる、少なくとも１つの選択入力によって特色づけられる。このような選択入力が、オーディオ情報及び／又はビデオ情報のフィードバック用のデバイスの遠隔操作又は同様の入力デバイスにより、たとえば個々のオーディオ及び／又はビデオ部品又はシーケンス内への又はこれらの間の、いわゆる前方向又は後方向巻取り又は前方向又は後方向ばね動作について行われ得ることが好ましい。
【００２９】
中間フォーマットの少なくとも１つのファイルのデータ、及び／又はナビゲーション情報を用いたオーディオ情報及び／又はビデオ情報のナビゲーション用の選択入力は、好ましくはネットワークを介して、オーディオ情報及び／又はビデオ情報のフィードバック用の少なくとも１つのデバイスと中間フォーマットの少なくとも１つのファイルのデータを含む計算デバイスとの間で伝送されることが好ましい。したがって、オーディオ情報及び／又はビデオ情報のフィードバック用の少なくとも１つのデバイスは、もっぱらこの機能のために構成され得る。何故なら、変換に必要な算術演算、特に復号化、変換などが、計算デバイスによって実行され得るからである。さらに、様々なオーディオ及び／又はビデオフィードバックフォーマットを含むいくつかのフィードバックデバイスには、計算デバイスにより、これに対応するオーディオ情報及び／又はビデオ情報が供給され得ることが好ましく、したがって、これに対応する算術演算を実行し、処理することができなければならない。伝送は、様々な伝送経路又は通路を介して一方向に進むことが好ましく、したがって、中間フォーマットの少なくとも１つのファイルのデータは、中間フォーマットの少なくとも１つのファイルのデータを含む計算デバイスから、伝送経路又は通路を介して、オーディオ情報及び／又はビデオ情報のフィードバック用の少なくとも１つのデバイスに伝送され、ナビゲーション情報を用いたオーディオ情報及び／又はビデオ情報内のナビゲーション用の選択入力は、これに従って構成された入力デバイス、特に遠隔操作から、別の伝送経路又は通路を介して、中間フォーマットの少なくとも１つのファイルのデータを含む計算デバイスに伝送されることが好ましい。
【００３０】
本発明の特に好ましい形態は、中間フォーマットが、計算デバイスにより、オーディオ情報及び／又はビデオ情報のフィードバック用の少なくとも１つのデバイスによってフィードバックされ得るオーディオ情報及び／又はビデオ情報に変換され、変換されたオーディオ情報及び／又はビデオ情報が、計算デバイスにより、ネットワークを介して、オーディオ情報及び／又はビデオ情報のフィードバック用の少なくとも１つのデバイスに伝送され、オーディオ情報及び／又はビデオ情報のフィードバック用の少なくとも１つのデバイスによってフィードバックされることを特徴とする。
【００３１】
以下、図面を参照しながら、本発明のさらなる詳細、特性及び利点についてより詳細に説明する。
【発明を実施するための最良の形態】
【００３２】
図１は、予め定められた仕様を満たす初期フォーマット１のデータ、主にＤＶＤ仕様によるオーディオ情報、ビデオ情報及びそのナビゲーション情報を含むデータ７、８、９及び１０の、ディレクトリ２内に構造的にまとめられたファイル（データベース）３、４、５及び６の配置を示している。その過程中、ＤＶＤ仕様によるデータ７、８、９及び１０のディレクトリ２及びデータベース（ファイル）３、４、５及び６は、ＤＶＤ仕様に従って、堅固に及び／又は比較的堅固に予め定められ、つまり互いに対して堅固な位置に、物理データ担体、主にＤＶＤの初期フォーマット１として配置される。したがって、ＤＶＤ仕様においては、初期フォーマット１として、ディレクトリ２の開始及び終了の位置が堅固に又は厳重に予め定められ、たとえばデータベース８の開始位置は、主に以前に配置されたデータベース３及び５の大きさに依存するので、比較的堅固である。ＤＶＤ仕様１によれば、ディレクトリ２の及びデータベース３、４、５及び６の配置は、この過程中、互いに分散された時間及びこの距離の配置に基づく。ここでは、ＤＶＤ仕様１に従って予め定められた記憶空間区域が、ディレクトリ２及びデータベース３、４、５及び６で利用可能であり、この区域は、主にディレクトリ２のコンテンツ１１及びデータベース３、４、５及び６のデータ７、８、９、及び１０により十分に利用されるものではない。したがって、ディレクトリ２及びデータベース３、４、５及び６は、自由な記憶場所１２を有する。
【００３３】
初期フォーマットを中間フォーマットに変換するコンテキストにおいては、まず、初期フォーマットのディレクトリ２の構造が記録される。主に、ディレクトリ２のコンテンツ１１が、入力され、暫定的に格納される。次いで、初期フォーマットの暫定的に格納されたディレクトリ構造により、中間フォーマット１３のディレクトリ構造が、個々のユーザ選択を通じてコンパイルされ、この中間フォーマット１３は、初期フォーマット１に従って、ユーザにとって興味深くかつ望ましい、データのファイル３、４、５及び６を有する。次いで、選択に従って、中間フォーマット１３のディレクトリ１４が作成される。このフォーマットは、主にファイル／データベース１５、１６、１７及び１８を有する。次いで、中間フォーマット１３のディレクトリ１４による中間フォーマット１３のデータのデータベース１５、１６、１７及び１８に対応する、初期フォーマット１のデータのファイル／データベース３、４、５及び６のコンテンツがコード化される。その過程中、個々の特定のコンテンツに適応された、コード化用の様々なアルゴリズムが、個々のデータ７、８、９及び１０用に使用され、これは、主に、特定のコード化に従って、中間フォーマット１３のデータのファイル／データベース３、４、５及び６、及びファイル／データベース１５、１６、１７及び１８の実際のコンテンツを形成する。図１から認識され得るように、中間フォーマット１３のディレクトリ１４及びデータベース１５、１６、１７及び１８は、ここでは、その記憶領域内に自由空間を有さず、したがって、初期フォーマット１によって提供される区域のような、使用されない記憶空間区域１２が利用可能でない。
【００３４】
中間フォーマット１３のディレクトリ１４及びデータベース１５、１６、１７及び１８は、主に、そのコード化後のデータベース１５、１６、１７及び１８を有する、ディレクトリ１４のその後の多重化による、２つの連続するデータベース１９及び２０から構成された連続データストリームとしてさらに作成される。その過程中、データベース１９は、ディレクトリ１４内で利用可能な情報を含み、データベース２０は、データベース１５、１６、１７及び１８による情報を有する。
【００３５】
図２は、予め定められた仕様を満たし、かつ連続データストリーム２２の形態のデータの、ディレクトリ内に構造的にまとめられたデータベースを主に含む、初期フォーマット２１を示している。データストリーム２２から、初期フォーマット２１のディレクトリ又はディレクトリ構造に基づく個々のユーザの選択による変換のコンテキストにおいては、ファイル／データベース２３、２４及び２５は、これも主にデータストリームとして存在するデータ、及びデータベース２３、２４及び２５の又は初期フォーマット２１の特性についての追加情報２６及び２７からアセンブルされる。情報２６は、ここでは主に、変換される必要のない情報である。中間フォーマット３１の合成は、ここでは、データストリーム２９内でも発生する。データストリーム２９の合成のコンテキストにおいては、データのデータベース２３、２４及び２５は、その特定のコンテンツに従って記録される。データベース２３、２４及び２５の特定のデータコンテンツによる、このようなプロセスは、主に様々なコーダアルゴリズム２３’、２４’及び２５’を利用し、これらは、さらに、初期フォーマット２１のデータベース２３、２４及び２５をさらに再構築するよう役立つ追加情報２３”、２４”及び２５”を作成し、伝達し、データストリーム２９により情報を報告する。これにしたがってデータストリーム２９内にファイルされたデータベース２３’、２３”、２４’、２４”、２５’、２５”、２６及び２７には、中間フォーマット３１のデータストリーム２９内のそれらの配置又は構造に従って、これに対応するディレクトリ３０が設けられる。
【００３６】
図３は、中間フォーマット３１からの、主に参照符号２１’で識別される、オリジナルに最も近い近似である、図２の初期フォーマット２１の再構築を示している。ここでは、中間フォーマット３１のディレクトリ構造３０が記録され、作成されるべき初期フォーマット２１’の仕様によるデータの、中間フォーマットの連続データストリーム２９内に存在するデータベース２３’、２３”、２４’、２４”、２５’、２５”、２６及び２７’は、データストリーム３２内で再構築され、作成される。再構築のフレームワークにおいては、それぞれ、データベース２３'''、２４'''及び２５'''は、ここでは、作成されるべき初期フォーマット２１’の仕様に従って、データベース２３’、２３”、２４’、２４”及び２５’、２５”からコード化され、これにしたがって作成される。再構築できる初期フォーマット２１’のデータストリーム３２には、データベース２３'''、２４'''、２５'''、２６及び２７’の配置に従って、自身のための、これに対応するディレクトリ構造３３が設けられる。
【００３７】
図４は、本発明に従って作成された中間フォーマット３５を用いた、オーディオ情報及び／又はビデオ情報のフィードバック用の初期フォーマット３９、４１及び４５の生成３６、４０及び４４を示している。ここでは、初期フォーマット３７、４１及び４５は、計算デバイス３４により中間フォーマット３５から生成され、初期フォーマット３７、４１及び４５のこれに対応するデータは、ネットワーク２８、主にローカルネットワーク、つまりたとえば構内ネットワーク（house-internal network）を介して、又はインターネットを介して、フィードバック用のデータ交換３８、４２及び４６のフレームワークにおいては、様々なサイトに局在するフィードバックデバイス３９、４３及び４７に伝えられる。
【００３８】
フィードバックデバイス３９、４３及び４７により、初期フォーマット３７、４１及び４５のナビゲーション情報内をナビゲートするための選択的入力、主に遠隔操作（図示せず）を可能にするデバイス、又は初期フォーマット３７、４１及び４５のオーディオ情報及び／又はビデオ情報内の、いわゆる前方向及び逆方向ネジ及び／又は前方向又は逆方向スプーリングを通じて、初期フォーマット３７、４１及び４５のコンテンツの時間の流れに特に影響を及ぼす同様の入力デバイスが存在する。ここでは、データ交換接続３８、４２及び４６を有する選択入力のこれに対応する情報は、ネットワーク２８を介して各フィードバックデバイス３９、４３及び４７から計算デバイス３４に伝えられ、これに対応して、中間フォーマット３５からの初期フォーマット３７、４１及び４５の各生成３６、４０及び４４のフレームワークにおいて考慮される。
【００３９】
図５に詳細に示されている流れ図は、ネットワーク２８を介して互いに接続され得るオーディオ情報及び／又はビデオ情報のフィードバック用の計算デバイス３４及びデバイス３９による、中間フォーマットからの初期フォーマットの生成の、及び初期フォーマットの交換の、フレームワークを表している。
【００４０】
主にサーバとして操作される計算デバイス３４によって、符号４８が付けられた手順のステップでは、ディレクトリ構造がまず入れられ、そして場合によっては、中間フォーマット３５の、例えば使用の計算や同様の情報などの追加特性が入れられる。次いで、４９のラベルが付けられた手順の任意ステップでは、処理可能なビットレート、フィードバックプロファイル、処理可能なコーダアルゴリズムなどの、オーディオ情報及び／又はビデオ情報のフィードバック用のデバイス３９の技術的な能力が記録される。以下、オーディオ情報及び／又はビデオ情報のフィードバック用のデバイス３９の、これらの技術的な能力について、中間フォーマット３５からの初期フォーマット３７の、本発明による生成３６において考慮する。
【００４１】
初期フォーマット３７の生成３６のフレームワークにおいては、特定の初期フォーマット３７のデータの個々のデータベースは、図３の再構築と同様に、コード化、及び／又はディレクトリから中間フォーマット３５のデータベースへの変換によって生成される。初期フォーマット３７は、ここでは、ネットワーク２８を介してフィードバックデバイス３９に伝送される連続データストリームとして構成される。伝送は、図５に参照符号３８’の印の付いた矢印で表されている。
【００４２】
中間フォーマット３５からのデータストリーム３７の生成３６においては、ユーザによるフィードバックデバイス３９の遠隔操作による、図５に示されている初期フォーマット３７のデータの中間フォーマット３５のデータのディレクトリ及びデータベースから生成されたデータベースに加えて、フィードバックされるべき情報内のナビゲーションを特に有する選択入力５０によって入って来る情報が考慮される。この選択入力５０は、フィードバックデバイス３９によって記録され、ネットワーク２８を介して計算デバイス３４に伝送される。伝送は、図５に参照符号３８”の印の付いた矢印で示されている。選択入力５０は、５１のラベルが付けられた手順のステップで、中間フォーマット３５からの初期フォーマット３７の生成３６のコンテキストにおいて考慮され、これにしたがって、初期フォーマット３７のデータのデータベースの生成に影響を及ぼす。フィードバックデバイス３９による初期フォーマット３７の変換は、図５に５２のラベルが付けられた手順のステップで発生し、フィードバックデバイス３９によって実施される。フィードバックは、図５に参照符号５３の印の付いた矢印で示されている。
【００４３】
図面に示されている本発明の実施の形態は、本発明を明らかにするためのものであって、前記発明を限定するものではない。
【図面の簡単な説明】
【００４４】
【図１】本発明による初期フォーマットの中間フォーマットへの変換の、理論上の実施形態を示す概略図である。
【図２】本発明による初期フォーマットの中間フォーマットへの変換の、さらなる理論上の実施形態を示す概略ブロック図である。
【図３】図２の中間フォーマットからの、本発明による初期フォーマットの再構築の、理論上の実施形態を示す概略ブロック図である。
【図４】中間フォーマットを用いた、オーディオ情報及び／又はビデオ情報のフィードバック用の少なくとも１つのデバイスによる、オーディオ情報及び／又はビデオ情報のフィードバック用の初期フォーマットの、本発明による作成の、理論上の実施形態を示す概略ブロック図である。
【図５】中間フォーマットを用いた、オーディオ情報及び／又はビデオ情報のフィードバック用の少なくとも１つのデバイスによる、オーディオ情報及び／又はビデオ情報のフィードバック用の初期フォーマットの、本発明による作成の実施形態の詳細を示す概略ブロック図である。
【符号の説明】
【００４５】
１  初期フォーマット
２  ディレクトリ（初期フォーマット（１））
３  ファイル／データベース（初期フォーマット（１））
４  ファイル／データベース（初期フォーマット（１））
５  ファイル／データベース（初期フォーマット（１））
６  ファイル／データベース（初期フォーマット（１））
７  データ（データベース（３））
８  データ（データベース（４））
９  データ（データベース（５））
１０  データ（データベース（６））
１１  コンテンツ（ディレクトリ（２））
１２  自由な記憶空間（ディレクトリ（２）、データベース（３、４、５、６））
１３  中間フォーマット
１４  ディレクトリ（中間フォーマット（１３））
１５  ファイル／データベース（中間フォーマット（１３））
１６  ファイル／データベース（中間フォーマット（１３））
１７  ファイル／データベース（中間フォーマット（１３））
１８  ファイル／データベース（中間フォーマット（１３））
１９  ファイル／データベース（中間フォーマット（１３））
２０  ファイル／データベース（中間フォーマット（１３））
２１  初期フォーマット
２１’  初期フォーマット（再構築された）
２２  データストリーム（初期フォーマット（２１））
２３  ファイル／データベース（初期フォーマット（２１））
２３’   ファイル／データベース（中間フォーマット（３１））
２３”  再構築情報（データベース（２３））
２３'''  再構築データベース（初期フォーマット２１’）
２４  ファイル／データベース（初期フォーマット（２１））
２４’   ファイル／データベース（中間フォーマット（３１））
２４”  再構築情報（データベース（２３））
２４'''  再構築情報（初期フォーマット２１’）
２５  ファイル／データベース（初期フォーマット（２１））
２５’   ファイル／データベース（中間フォーマット（３１））
２５”  再構築情報（データベース（２３））
２５'''  再構築されたファイル／データベース（初期フォーマット２１’）
２６  再構築情報（初期フォーマット（２１））
２７  追加情報
２７’  再構築された追加情報
２８  ネットワーク／インターネット
２９  データストリーム（中間フォーマット（３１））
３０  ディレクトリ（中間フォーマット（３１））
３１  中間フォーマット
３２  データストリーム（初期フォーマット（２１’））
３３  ディレクトリ（初期フォーマット（２１’））
３４  計算デバイス（サーバ）
３５  中間フォーマット
３６  生成された初期フォーマット（３７）
３７  初期フォーマット
３８  データ交換
３８’  伝送
３８”  伝送
３９  フィードバックデバイス（初期フォーマット（３７））
４０  初期フォーマットの生成（４１）
４１  初期フォーマット
４２  データ交換
４３  フィードバックデバイス（初期フォーマット（４１））
４４  初期フォーマットの生成（４５）
４５  初期フォーマット
４６  データ交換
４７  フィードバックデバイス（初期フォーマット（４５））
４８  手順ステップ（初期フォーマット生成の初期化）
４９  手順ステップ（フィードバックデバイス能力の記録）
５０  選択入力
５１  考慮（選択入力（５０））
５２  変換（初期フォーマット（３７））
５３  フィードバック
【図１】
2006216222.tif 000003
【図２】
2006216222.tif 000004
【図３】
2006216222.tif 000005
【図４】
2006216222.tif 000006
【図５】
2006216222.tif 000007